(57)【特許請求の範囲】
【請求項１】
板状面に取り付けて紙などを挟持するクリップの上部材の上面または側部に、開閉できる紙などを押さえる押さえ具を設けて、上部材のクリップ口の内側には上部材カット部と、押さえ具にカット部が設けてあり、前記カット部はクリップ口を閉じて押さえ具を開いた時に、下部材の下面の延長線とほぼフラットになるようカットしてあり、押さえ具付のクリップとしても、また押さえ具付の文鎮としても使用できることを特徴とする押さえ具付文鎮クリップ。
【請求項２】
板状面に取り付けて紙などを挟持するクリップの上部材の上面または側部に、開閉できる紙などを押さえる押さえ具を設けて、下部材の側部にも開閉できる押さえ具を設けて、押さえ具付のクリップとしても、また押さえ具付の文鎮としても使用できることを特徴とする押さえ具付文鎮クリップ。
【発明の詳細な説明】
【技術分野】
【０００１】
本発明は、板状面に取り付けて紙などを挟持するクリップや紙などを押さえる文鎮において、クリップの挟持部や文鎮より紙などの幅が大き過ぎる時に紙などの幅端部がまくれ上がることがあり、それを押さえる手段を持つ押さえ具付文鎮クリップに関するものである。
【背景技術】
【０００２】
従来の文鎮を付加したクリップには、ウエイトにクリップを取り付けたことを特徴とするクリップウエイトがある（例えば、特許文献１参照。）。
【０００３】
また、相当の重さを持つ文鎮体上に第１、第２のクリップ体を重ねて設けて、全体として書物や雑誌の開いた状態を維持することを特徴とする文鎮クリップがある（例えば、特許文献２参照。）。
【０００４】
以下、従来の特許文献について説明する。特許文献１のクリップウエイトでは、ウエイトにクリップを取り付けたのみであり、クリップ挟持部や文鎮より紙などの幅が大き過ぎる時に紙などの端のまくれ上がりを押さえる手段を持たない。
【０００５】
特許文献２の文鎮クリップでは、相当の重さを持つ文鎮体上に第１、第２のクリップ体を重ねて設けて、全体として書物や雑誌の開いた状態を維持することができるが、クリップ挟持部や文鎮より紙など幅が大き過ぎる時に紙などの端のまくれ上がりを押さえる手段を持たない。
【先行技術文献】
【特許文献】
【０００６】
【特許文献１】実開昭５４−１６４６１７号公報（第１頁、実用新案登録請求の範囲）
【特許文献２】実開昭６０−１５４１７９号公報（第１頁、実用新案登録請求の範囲）
【発明の概要】
【発明が解決しようとする課題】
【０００７】
解決しようとする問題点は、特許文献１では、紙などをクリップで挟持する事やウエイトで押さえる事はできるが、クリップ挟持部や文鎮より紙などの幅が大き過ぎる時に紙などの端のまくれ上がりを押さえる手段を持たないこと。
【０００８】
特許文献２では、相当の重さを持つ文鎮体上に第１、第２のクリップ体を重ねて設けて、全体として書物や雑誌の開いた状態を維持することができるが、クリップ挟持部や文鎮より紙などの幅が大き過ぎる時に紙などの端のまくれ上がりを押さえる手段を持たないこと。
【課題を解決するための手段】
【０００９】
本発明は、板状面に取り付けて紙などを挟持するクリップや紙などを押さえる文鎮において、クリップの挟持部や文鎮より紙などの幅が大き過ぎる時に紙などの幅端部がまくれ上がらないように、本体に開閉できる紙などを押さえる押さえ具を設けて、紙などの幅端部を押さえることにより、紙などが幅端部からまくれ上がる事を防止することを最も主要な特徴とする。
【発明の効果】
【００１０】
本発明の押さえ具付文鎮クリップは、本体に開閉できる紙などを押さえる押さえ具が設けてあるので、本体の幅だけでは余りある紙などを、押さえ具を用いて紙などを押さえることにより、紙などが幅端部からまくれ上がる事を防止することが出来る。なお、取り付け具にマグネットを用いればマグネット付文鎮として重宝する。
【００１１】
特に壁等に紙などを止める時には、本体の幅より紙などの幅が大き過ぎる時に紙などが幅端部からまくれ上がって来る事が多いので、本発明の押さえ具付文鎮クリップにて紙などのまくれ上がりを防止出来るという利点がある。
【図面の簡単な説明】
【００１２】
【図１】図１は上部材の上面下部に押さえ部兼用の押さえ具を設けて、押さえ具付のクリップとしても、押さえ具付の文鎮としても使用出来る形態であり、Ａが押さえ具を閉じた例の正面図、Ｂが押さえ具を開いた例の側面図である。
【図２】図２は上部材の側部に押さえ具を設けて、押さえ具付のクリップとしても、押さえ具付の文鎮としても使用出来る形態であり、Ｃがクリップの口が開いた例、Ｄがクリップの口が閉じた例の側面図である。
【図３】図３は板状面（略）に被挟持物を挟持した本体を取り付け、本体の上部材下部側面に設けたブラケットに押さえ具を取り付け、押さえ部で被挟持物を押さえている例の正面図である。
【図４】図４のＥは押さえ具を本体の上部材上に設けた例の上部材正面図であり、Ｆは下部材側面にも押さえ具を設けた例の側面図である。
【図５】図５は図４の例で板状面（略）に被挟持物を挟持した本体を取り付けて、押さえ具を開いて押さえ部で被挟持物を押さえている例の上部材正面図である。
【図６】図６は図５の押さえ具をテレスコピック式の伸縮構造に変更した例の正面図である。
【図７】図７は下部材上部側面にブラケットを設けて上下押さえ具付の文鎮兼用クリップとしてあり、ＨはＩのＧ、Ｇ‘側から見た例の正面図であり、Ｉは上部も付いた例の側面図である。
【図８】図８は図７のＨの押さえ具を開いて、板状面（略）に置いた被押さえ材を押さえている例の正面図である。
【図９】図９のＪは本体上の押さえ具をアコーディオン式の開閉構造とした例の正面図であり、Ｋはその側面図である。
【図１０】図１０は図９の例において、ノブボルト状の押さえ具軸Ｙを緩めて下に移動して途中で止めることにより、押さえ具の開閉位置を調節できる例の正面図である。
【図１１】図１１は図１０の例の押さえ部が紙などの幅いっぱいまで広がった例の正面図である。
【発明を実施するための形態】
【００１３】
板状面に取り付けて紙などを挟持するクリップや紙などを押さえる文鎮において、クリップの挟持部や文鎮より紙などの幅が大き過ぎる時に紙などの幅端部がまくれ上がらないように、クリップに開閉できる紙などを押さえる押さえ具を設けて、紙などの幅端部を押さえることにより、紙などが幅端部からまくれ上がる事を防止できる事で実現した。
【００１４】
以下に本発明の実施形態を、図面を参照しながら具体的に説明するがこの実施形態に限定されるものではない。図１は、上部材１１の上面下部に押さえ部兼用の押さえ具２を設けて、押さえ具２付のクリップとしても、押さえ具２付の文鎮としても使用出来る形態であり、Ａが押さえ具２を閉じた例の正面図、Ｂが押さえ具２を開いた例の側面図であって、上部材１１と押さえ具２はストッパー付ヒンジ２７で接続してあり、機能は図２と同様である。
【００１５】
図２は、上部材１１の側部に押さえ具２を設けて、押さえ具２付のクリップとしても、押さえ具２付の文鎮としても使用出来る形態であり、Ｃがクリップの口が開いた例、Ｄがクリップの口が閉じた例の側面図であって、上部材１１のクリップ口側の両側面に押さえ具２を取り付けたブラケット１８が設けてある。
【００１６】
上部材１１のクリップ口の内側には上部材カット部１９と、押さえ部２１を開いた時用に押さえ部カット部２６が設けてあり、いずれも本体１を閉じた時に下部材１２の下面の延長線とほぼフラットになるようにカットしてある。
【００１７】
押さえ具２付のクリップとして用いる場合は、下部材１２クリップ口先と下部材１２クリップ口先に対応する上部材１１の部分にて被挟持物を挟持する。押さえ具２を開いた時は押さえ部２１で被挟持物を押さえる。
【００１８】
押さえ具２付の文鎮として用いる場合は、クリップの口を閉じれば、上部材カット部１９と押さえ部２１を開いた時用に押さえ部カット部２６が設けてあり、いずれも下部材１２の下面の延長線とほぼフラットになるようにカットしてあるのでそのまま押さえ具２付の文鎮として用いる事ができる。
【００１９】
図３は、板状面（略）に被挟持物４を挟持した本体１を取り付け、上部材１１の下部側面に設けたブラケット１８に押さえ具２を取り付け、押さえ部２１で被挟持物４を押さえている例の正面図であり、押さえ具２には押さえ具軸２２を中心として相対する位置に半球状のロック凸部２４が設けてあり、ブラケット１８の内側には押さえ具２を開閉した時にかみ合う位置に半球状のロック凹部１６が設けてある。
【００２０】
閉じてロックされている押さえ具２を開くと、ロック凸部２４とロック凹部１６に力が加わるので、ブラケット１８がロック凸部２４の高さ分広がり、さらに押さえ具２を開くと、ロック凸部２４が隣接するロック凹部１６まで回転してストッパーヒンジのようにロックされる。なお、ロック凹部１６の数を増やす事により押さえ具２の角度の調節範囲を増やし、押さえ具軸２２を中心として押さえ具２を回転させて押さえ部２１の押さえ範囲を多少調整する事もできる。
【００２１】
また、押さえ具２は複数に分割して折り畳めるようにしても良いし、ブラケット１８をコの字型からＩの字型にして、押さえ具２の付け根でＩの字型ブラケットを挟む形にしても良いし、押さえ部２１を廃止して押さえ具２全体で紙などを押さえても良いし、押さえ具２を弾力ある素材で作成して押さえ具２の先端側が下側に出る形に作成して紙などを押さえる力を増しても良い。
【００２２】
図４Ｅは、押さえ具２を上部材１１上に設けた例の上部材１１正面図であり、Ｆは下部材１２側面にも押さえ具２を設けた例の側面図であって、上部材１１の下部両端付近に押さえ具軸２２を中心に回転できる押さえ具２が設けてあり、押さえ具軸２２は上部材１１の下部両端付近から抜けないように、この例では上部材１１の裏に皿状の上部材穴１７を設けて押さえ具軸２２の先端は皿状にしている。押さえ具軸２２は組みねじで作っても良い。
【００２３】
ロック凸部２４はバネ材の様にたわむ材質の押さえ具軸フランジ２３に設けてあり、上部材１１には押さえ具２を開閉した時の位置決めのために、ロック凸部２４に対応する位置にロック凹部１６が設けてある。
【００２４】
押さえ具軸フランジ２３をたわむ材質ではなくして、上部材穴１７と押さえ具軸２２の間にクッション材を設けて、押さえ具２を開閉した時の位置決めする時の力を逃がす事も考えられる。また、押さえ具２をバネ材の様にたわむ材質で作成して紙などを押さえつける形状にしても良い。
【００２５】
図５は、図４の例で板状面（略）に被挟持物４を挟持した本体１を取り付けて、押さえ具２を開いて押さえ部２１で被挟持物４を押さえている例の上部材１１正面図であり、紙等の被挟持物４が端からまくれ上がる事を防止できる。また、押さえ具２は複数に分割して折り畳めるようにしても良い。
【００２６】
図６は、図５の押さえ具２をテレスコピック式の伸縮構造に変更した例の正面図であり、紙等の被挟持物４の幅の大小に対応する自由度が上がる。
【００２７】
図７は、下部材１２上部側面にブラケット１８を設けて上下押さえ具２付の文鎮兼用クリップとしてあり、ＨはＩのＧ、Ｇ‘側から見た例の正面図であり、Ｉは上部も付いた例の側面図であって、押さえ具付クリップとしても、押さえ具付文鎮としても使用できる。
【００２８】
図８は、図７のＨの押さえ具２を開いて、板状面（略）に置いた被押さえ材５を押さえている例の正面図であって、図７のＨを押さえ具２付の文鎮として使用している。
【００２９】
図９Ｊは、上部材１１上の押さえ具２をアコーディオン式の開閉構造とした例の正面図であり、Ｋはその側面図であって、上部材１１にはＣ型のカーテンレール状のレール３が設けてあり、アコーディオン式の押さえ具２は押さえ具軸Ｘ３１と押さえ具軸Ｙ３２、および押さえ具軸ナット３３によってレール３に取り付けてある。
【００３０】
図９の押さえ具軸Ｘ３１と押さえ具軸Ｙ３２をノブボルトにしておけば、押さえ具軸Ｘ３１のノブボルトを軽く緩め、押さえ具軸Ｙ３２のノブボルトを緩めて下に移動させれば、アコーディオン式の押さえ具２は開く。任意に開いて押さえ具軸Ｘ３１のノブボルトと押さえ具軸Ｙ３２のノブボルトを締めればアコーディオン式の押さえ具２は固定する。
【００３１】
押さえ具軸Ｘ３１は移動不要の単なる軸にしても良い。その時は押さえ具軸Ｙ３２のノブボルトの緩め具合と移動でアコーディオン式の押さえ具２の開閉をする。
【００３２】
図１０は、図９の例において、ノブボルト状の押さえ具軸Ｙ３２を緩めて下に移動して途中で止めることにより、押さえ具２の開閉位置を調節できる例の正面図であり、ノブボルト状の押さえ具軸Ｙ３２を締めればアコーディオン式の押さえ具は固定される。
【００３３】
図１１は、図１０の例の押さえ部２が紙などの幅いっぱいまで広がった例の正面図であり、紙等の被挟持物４が端からまくれ上がる事を防止できる。
【００３４】
このようにして作成された押さえ具付文鎮クリップは、板状面に取り付けて紙などを挟持するクリップや紙などを押さえる文鎮において、クリップの挟持部や文鎮より紙などの幅が大き過ぎる時に紙などの幅端部がまくれ上がらないように、本体に開閉できる紙などを押さえる押さえ具を設けて、紙などの幅端部を押さえることにより、紙などが幅端部からまくれ上がるという問題点を解消できる。
【符号の説明】
【００３５】
１    本体
１１  上部材
１２  下部材
１３  本体ピン
１４  ばね
１５  取り付け具
１６  ロック凹部
１７  上部材穴
１８  ブラケット
１９  上部材カット部
２    押さえ具
２１  押さえ部
２２  押さえ具軸
２３  押さえ具軸フランジ
２４  ロック凸部
２５  押さえ具ピン
２６  押さえ部カット部
２７  ストッパー付ヒンジ
３    レール
３１  押さえ具軸Ｘ
３２  押さえ具軸Ｙ
３３  押さえ具軸ナット
４    被挟持物
５    被押さえ材
【要約】
【課題】従来の板状面に取り付けて紙などを挟持するクリップや紙などを押さえる文鎮において、クリップの挟持部や文鎮より紙などの幅が大き過ぎる時に紙などの幅端部がまくれ上がるという問題点があった。本発明は、上記のような問題点を解決することを課題とするものである。
【解決手段】本発明は、本体に開閉できる紙などを押さえる押さえ具を設けて、紙などの幅端部を押さえることにより、紙などが幅端部からまくれ上がる事を防止することで目的を達することを特徴とするものである。
【選択図】図１【図１】
0005518249.tif 000002
【図２】
0005518249.tif 000003
【図３】
0005518249.tif 000004
【図４】
0005518249.tif 000005
【図５】
0005518249.tif 000006
【図６】
0005518249.tif 000007
【図７】
0005518249.tif 000008
【図８】
0005518249.tif 000009
【図９】
0005518249.tif 000010
【図１０】
0005518249.tif 000011
【図１１】
0005518249.tif 000012